(57)【特許請求の範囲】
【請求項１】
上端部が乗員頭部よりも高い位置にある車体上部に固定された状態で全体が上下方向で折り畳まれて収納されてなると共に、自動車の側面衝突時に、インフレータのガスを導くことにより、下側へ向けてカーテン状に展開させるエアバッグを備えた自動車の側突用エアバッグ装置であって、
前記エアバッグが、前後に離間して配され且つ上側に開口を有する第１，第２膨張室と、該第１，第２膨張室に挟まれた位置に配され且つ下側に開口を有する第３膨張室と、前記第１，第２膨張室の開口及び前記インフレータを連通した第１連通部と、前記第１，第２膨張室の下側及び前記第３膨張室の開口を連通した第２連通部とより構成されてなり、
前記第１，第２膨張室と第３膨張室とは、分離されてなることを特徴とする自動車の側突用エアバッグ装置。
【請求項２】
上端部が乗員頭部よりも高い位置にある車体上部に固定された状態で全体が上下方向で折り畳まれて収納されてなると共に、自動車の側面衝突時に、インフレータのガスを導くことにより、下側へ向けてカーテン状に展開させるエアバッグを備えた自動車の側突用エアバッグ装置であって、
前記エアバッグが、前後に離間して配され且つ上側に開口を有する第１，第２膨張室と、該第１，第２膨張室に挟まれた位置に配され且つ下側に開口を有する第３膨張室と、前記第１，第２膨張室の開口及び前記インフレータを連通した第１連通部と、前記第１，第２膨張室の下側及び前記第３膨張室の開口を連通した第２連通部とより構成されてなり、
前記第２連通部は、前記インフレータからガスが導入されていない状態で、ねじられてなることで、ガスを第３膨張室へ導くのを一時停止可能とさせてなることを特徴とする自動車の側突用エアバッグ装置。ることを特徴とする自動車の側突用エアバッグ装置。
【請求項３】
請求項１又は請求項２に記載の自動車の側突用エアバッグ装置であって、
前記第１，第２膨張室を、連続したくの字状態の折り畳み状態にすると共に前記第３膨張室を、室内側へロール状に巻いた折り畳み状態にすることを特徴とする自動車の側突用エアバッグ装置。
【請求項４】
請求項１乃至請求項３の何れか１項に記載の自動車の側突用エアバッグ装置であって、
前記第３膨張室を前後に複数設けてなることを特徴とする自動車の側突用エアバッグ装置。
【発明の詳細な説明】
【０００１】
【発明の属する技術分野】
この発明は、自動車の側突用エアバッグ装置に関する。
【０００２】
【従来の技術】
自動車の車体における乗員頭部よりも高い位置には、サイドルーフレールが配され、このサイドルーフレールに沿って、側面衝突時における乗員保護用のエアバッグ装置を設けたものがある（類似技術として、特開２０００−１２７８８５号公報参照）。
【０００３】
この種のエアバッグ装置は、上端部が前記サイドルーフレールに固定された状態で、全体が上下方向で折り畳まれて収納されていると共に、前席乗員と後席乗員とにそれぞれ対応する２つの膨張室があって、インフレータからの噴出ガスにより上方から下方に向けて膨張しながらカーテン状に降りてくる構造である。インフレータのガスは、一般に後席用の膨張室内に噴射され、その後、連通部を介して前席用の膨張室に導かれる（この逆のタイプもある）。
【０００４】
【発明が解決しようとする課題】
しかしながら、このような従来の技術にあっては、エアバッグが膨張する時に、乗員が自動車の室内側壁に近寄っていることなどにより、乗員と室内側壁との間隙が小さくなっている場合には、エアバッグがスムーズに展開しづらくなるおそれがある。
【０００５】
この発明は、このような従来の技術に着目してなされたものであり、乗員が自動車の室内側壁に近寄っていても、スムーズにエアバッグが展開可能なる自動車の側突用エアバッグ装置を提供するものである。
【０００６】
【課題を解決するための手段】
請求項１に記載の発明は、上端部が乗員頭部よりも高い位置にある車体上部に固定された状態で全体が上下方向で折り畳まれて収納されてなると共に、自動車の側面衝突時に、インフレータのガスを導くことにより、下側へ向けてカーテン状に展開させるエアバッグを備えた自動車の側突用エアバッグ装置であって、前記エアバッグが、前後に離間して配され且つ上側に開口を有する第１，第２膨張室と、該第１，第２膨張室に挟まれた位置に配され且つ下側に開口を有する第３膨張室と、前記第１，第２膨張室の開口及び前記インフレータを連通した第１連通部と、前記第１，第２膨張室の下側及び前記第３膨張室の開口を連通した第２連通部とより構成されてなり、前記第１，第２膨張室と第３膨張室とは、分離されてなる。
【０００７】
請求項１に記載の発明によれば、前記インフレータからガスが噴出されると、まず第１連通部を介在して第１，第２膨張室にガスが進入して、折り畳まれた状態から展開されるので、第１，第２膨張室の左右幅寸法は薄いままに第１，第２膨張室の下端側から順次解放させるため、乗員が自動車の室内側壁に近寄っていても、その間隙内にスムーズにエアバッグが展開可能である。つまり、保護すべき乗員と自動車室内側壁との間にエアバッグが入り込むことが可能である。次に、第１，第２膨張室の下側の第２連通部を介在して第３膨張室が膨張するので、乗員の二次衝突などの衝撃力を吸収できる。
【０００９】
また、第１，第２膨張室と第３膨張室とは、互いに折り方を変えることが出来るので、乗員と室内側壁との間隙などの小さな隙間に入りやすいロール状の折り方や展開の早い蛇腹状の折り方など適宜変更できる。
【００１０】
請求項２に記載の発明は、上端部が乗員頭部よりも高い位置にある車体上部に固定された状態で全体が上下方向で折り畳まれて収納されてなると共に、自動車の側面衝突時に、インフレータのガスを導くことにより、下側へ向けてカーテン状に展開させるエアバッグを備えた自動車の側突用エアバッグ装置であって、前記エアバッグが、前後に離間して配され且つ上側に開口を有する第１，第２膨張室と、該第１，第２膨張室に挟まれた位置に配され且つ下側に開口を有する第３膨張室と、前記第１，第２膨張室の開口及び前記インフレータを連通した第１連通部と、前記第１，第２膨張室の下側及び前記第３膨張室の開口を連通した第２連通部とより構成されてなり、前記第２連通部は、前記インフレータからガスが導入されていない状態で、ねじられてなることで、ガスを第３膨張室へ導くのを一時停止可能とさせてなる。
【００１１】
請求項２に記載の発明によれば、前記インフレータからガスが噴出されると、まず第１連通部を介在して第１，第２膨張室にガスが進入して、折り畳まれた状態から展開されるので、第１，第２膨張室の左右幅寸法は薄いままに第１，第２膨張室の下端側から順次解放させるため、乗員が自動車の室内側壁に近寄っていても、その間隙内にスムーズにエアバッグが展開可能である。つまり、保護すべき乗員と自動車室内側壁との間にエアバッグが入り込むことが可能である。次に、第１，第２膨張室の下側の第２連通部を介在して第３膨張室が膨張するので、乗員の二次衝突などの衝撃力を吸収できる。また、第２連通部がねじられているので、第１，第２膨張室に注入されたガスは第３膨張室に行かないことになり、第１，第２膨張室のみを早急に膨張させることが出来る。
【００１２】
請求項３に記載の発明は、前記第１，第２膨張室を、連続したくの字状態の折り畳み状態にすると共に前記第３膨張室を、室内側へロール状に巻いた折り畳み状態にする。
【００１３】
請求項３に記載の発明によれば、第１，第２膨張室を、連続したくの字状態の折り畳み状態にすると共に前記第３膨張室を、室内側へロール状に巻いた折り畳み状態にしてあるため、最初に膨張する第１，第２膨張室がくの字を解くようにして解放し、第１，第２膨張室が解放されるに伴い、第３膨張室の先端としての下側から確実に膨張させることができ、エアバッグの展開速度が更に向上する。
【００１４】
請求項４に記載の発明は、第３膨張室を前後に複数設けてなる。
【００１５】
請求項４に記載の発明によれば、第３膨張室を前後に複数設けてなるので、前席乗員も後席乗員も共に側突時における車体への干渉を確実に防止できる。
【００１６】
【発明の実施の形態】
以下、この発明の好適な一実施形態を図１乃至図１１に基づいて説明する。
【００１７】
図１は、エアバッグ１が展開した状態で斜め上から見た図を示している。エアバッグ１は、上端部が図示しない乗員がシートに着座した状態の頭部よりも高い位置にある車体上部であるサイドルーフレールに固定された状態で全体が上下方向で折り畳まれて収納されてなると共に、自動車の側面衝突時に、インフレータ２のガスＧを導くことにより、下側ＬＷＲへ向けてカーテン状に展開させるもので、前記エアバッグ１が、前後に離間して配され且つ上側ＵＰに開口３を有する第１，第２膨張室４，５と、該第１，第２膨張室４，５に挟まれた位置に配され且つ下側ＬＷＲに開口６を有する第３膨張室７と、前記第１，第２膨張室４、５の開口３及び前記インフレータ２を連通したガス導入通路８及び第１連通部９と、前記第１，第２膨張室４，５の下側ＬＷＲ及び前記第３膨張室７の開口６を連通した第２連通部１０とより構成されてなる。
【００１８】
エアバッグ１は、２枚の基布を縫合した袋状で、上端部の数カ所がブラケット１１を介して図示しないサイドルーフレールに固定されている。前記第１，第２膨張室４，５は、前後方向に若干の斜め状に配されている。前記第３膨張室７は、図１に示すように、前後方向に４つの空間に分割している。前席第１，第２膨張室４，５と第３膨張室７との間には、空間部１２，１３が形成されている。
【００１９】
前記ガス導入通路８からインフレータ２のガスＧを第１膨張室４内に導くと共に第１連通部９を介して第２膨張室５内に噴出できるようになっている。
【００２０】
次に、このエアバッグ１の折り畳み方を、図３乃至図８に基づいて説明する。まず、ガスＧが封入されない状態のエアバッグ１は、図３に示す状態にあり、その断面は図４（ａ），（ｂ）に示すように扁平である。第２連通部１０の両端部の第１，第２膨張室４，５と第３膨張室７との間の空間部１２，１３の下側ＬＷＲの位置で捩り曲げる（捩り曲げ部１４）。また、第１，第２膨張室４，５を下側部分を上側に折って重ね合わせる〔図６（ｂ）から図８（ｂ）〕と共に第３膨張室７の下側ＬＷＲを持ち上げて乗員側へロール状に巻いた状態にする〔図６（ａ）から図８（ａ）〕。斜めから見ると、図５から図７に変化する。
【００２１】
次に、このエアバッグ１の展開状態を図９乃至図１１に基づいて説明する。自動車が側面衝突を起こすと、図示せぬセンサーからインフレータ２に信号が送られ、インフレータ２が作動してガスＧをガス導入通路８に噴射する。ガス導入通路８内に噴射されたガスＧは、第１膨張室４を膨張させると共に、第１連通部９を介して第２膨張室５に導かれる。
【００２２】
第１，第２膨張室４，５は、開口３が共に上側ＵＰにあり、下側ＬＷＲにガスＧが流れ込んでも、その先にある捩り曲げ部１４によってそれ以上ガスＧが導かれないので、第１，第２膨張室４，５がまず膨張する。第１，第２膨張室４，５が膨張した後、前記捩り曲げ部１４の捩りが元に戻ることで第２連通部１０が第１，第２膨張室４，５と連通し、ガスＧは、第１，第２膨張室４，５から第３膨張室７に流れ始める。この際、第３膨張室７の開口６がエアバッグ１の下側ＬＷＲにあるので、下側ＬＷＲから膨張始める。この際、第３膨張室７は車体に対する付け根である上部よりも、先端である下側ＬＷＲの方が先に膨張する。特に、この実施形態では、ロール状に巻いた第３膨張室７が最も乗員側に位置させたため、最初に膨張するエアバッグ１の下側ＬＷＲの邪魔になるものはなく、エアバッグ１は、下側ＬＷＲから膨張し始めることになる。。
【００２３】
また、エアバッグ１は、先端である下側ＬＷＲから折り畳み状態を解放しながら、図示しないルーフライニングの端部を押し退けて下側ＬＷＲへ膨張し、最終的に付け根である上側ＵＰまで膨張が達して、エアバッグ１全体が乗員と車体側壁との間で、カーテン状に展開した状態となり、乗員を保護する。
【００２４】
以上説明したように、この実施形態によれば、インフレータ２からガスＧが噴出されると、まず第１連通部９を介在して第１，第２膨張室４，５にガスＧが進入して、折り畳まれた状態から展開されるので、第１，第２膨張室４，５の左右幅寸法は薄いままに第１，第２膨張室４，５の下端側から順次解放させるため、乗員が自動車の室内側壁２０に近寄っていても、その間隙内にスムーズにエアバッグ１が展開可能である。つまり、保護すべき乗員と自動車室内側壁２０との間にエアバッグ１が入り込むことが可能である。次に、第１，第２膨張室４，５の下側ＬＷＲの第２連通部１０を介在して第３膨張室７が膨張するので、乗員の二次衝突などの衝撃力を吸収できる。
【００２５】
また、第１，第２膨張室４，５と第３膨張室７とは、互いに折り方を変えることが出来るので、乗員と室内側壁２０との間隙などの小さな隙間に入りやすいロール状の折り方や展開の早い蛇腹状の折り方など適宜変更できる。
【００２６】
また、第２連通部１０が途中の捩り曲げ部１４でねじられているので、第１，第２膨張室４，５に注入されたガスＧは第３膨張室７に行かないことになり、第１，第２膨張室４，５のみを早急に膨張させることが出来る。
【００２７】
また、前記第１，第２膨張室４，５を、連続したくの字状態の折り畳み状態にすると共に前記第３膨張室７を、室内側へロール状に巻いた折り畳み状態にしてあるため、最初に膨張する第１，第２膨張室４，５がくの字を解くようにして解放し、第１，第２膨張室４，５が解放されるに伴い、第３膨張室７の先端としての下側ＬＷＲから確実に膨張させることができ、エアバッグ１の展開速度が更に向上する。
【００２８】
第３膨張室７を前後に複数設けてなるので、前席乗員も後席乗員も共に側突時における車体への干渉を確実に防止できる。
【００２９】
尚、以上の実施形態においては、インフレータ２のガスＧを第１膨張室４側に噴出させ、そのガスＧを第１連通部９を介して第２膨張室５に導く例を示したが、逆でも良い。
【００３０】
【発明の効果】
この発明によれば、前記インフレータからガスが噴出されると、まず第１連通部を介在して第１，第２膨張室にガスが進入して、折り畳まれた状態から展開されるので、第１，第２膨張室の左右幅寸法は薄いままに第１，第２膨張室の下端側から順次解放させるため、乗員が自動車の室内側壁に近寄っていても、その間隙内にスムーズにエアバッグが展開可能である。つまり、保護すべき乗員と自動車室内側壁との間にエアバッグが入り込むことが可能である。次に、第１，第２膨張室の下側の第２連通部を介在して第３膨張室が膨張するので、乗員の二次衝突などの衝撃力を吸収できる。
【図面の簡単な説明】
【図１】この発明の一実施形態に係るエアバッグが下向きに展開した状態を示す車室内斜視図。
【図２】図１の断面図。
【図３】図１のエアバッグにガスが封入されていない状態での斜視図。
【図４】（ａ）図３中矢示ＳＡ−ＳＡ線に沿う断面図、（ｂ）図３中矢示ＳＢ−ＳＢ線に沿う断面図。
【図５】図３のエアバッグを折り畳み始めた状態を示す斜視図。
【図６】（ａ）図５中矢示ＳＣ−ＳＣ線に沿う断面図、（ｂ）図５中矢示ＳＤ−ＳＤ線に沿う断面図。
【図７】図５のエアバッグを折り畳み終わった状態を示す斜視図。
【図８】（ａ）図７中矢示ＳＥ−ＳＥ線に沿う断面図、（ｂ）図７中矢示ＳＦ−ＳＦ線に沿う断面図。
【図９】（ａ）図８（ａ）に示す巻き込まれた状態の第３膨張室とドアトリムとの関係を示す断面図、（ｂ）ガスが捩り曲げ部を元に戻す前の断面図、（ｃ）第２連通部内にガスが導入された状態の第３膨張室の断面図、（ｄ）第３膨張室が膨張した状態を示す断面図。
【図１０】（ａ）図８（ｂ）に示す折り畳まれた状態の第１，２膨張室とドアトリムとの関係を示す断面図、（ｂ）ガスが導かれて膨張始めた第１，第２膨張室の断面図、（ｃ）ガスが導入されると共に第３膨張室にガスを供給始めた断面図、（ｄ）第１，第２膨張室が膨張した状態を示す断面図。
【図１１】（ａ）図１のエアバッグの折り畳まれた状態を示す正面図、（ｂ）第１，第２膨張室が膨張始めた状態を示すエアバッグの正面図、（ｃ）第１，第２膨張室が膨張した状態を示すエアバッグの正面図、（ｄ）第３膨張室が膨張した状態を示すエアバッグの正面図。
【符号の説明】
１  エアバッグ
２  インフレータ
３  開口
４  第１膨張室
５  第２膨張室
６  開口
７  第３膨張室
８  ガス導入通路
９  第１連通部
１０  第２連通部
１４  捩り曲げ部
Ｇ  ガス
ＵＰ  上側
ＬＷＲ  下側
ＦＲ  前側
ＲＲ  後側
【図１】
0003741052.tif 000002
【図２】
0003741052.tif 000003
【図３】
0003741052.tif 000004
【図４】
0003741052.tif 000005
【図５】
0003741052.tif 000006
【図６】
0003741052.tif 000007
【図７】
0003741052.tif 000008
【図８】
0003741052.tif 000009
【図９】
0003741052.tif 000010
【図１０】
0003741052.tif 000011
【図１１】
0003741052.tif 000012